(57)【要約】 【課題】  操作を簡単にして何人も使用することができるようにする。【解決手段】  箱形に形成された椅子本体部１の下部前面側に折畳み可能な脚部４が設けられて家具Ｄに引出状に組込まれている。椅子本体部１の引出操作に連係して脚部４を起立させ椅子本体部１の収納操作に連係して脚部４を折畳む連係機構５を備えた。【選択図】        図１
2005073925.tif 000002
【特許請求の範囲】
【請求項１】
箱形に形成された椅子本体部の下部前面側に折畳み可能な脚部が設けられて家具に引出状に組込まれた家具収納椅子において、椅子本体部の引出操作に連係して脚部を起立させ椅子本体部の収納操作に連係して脚部を折畳む連係機構を備えたことを特徴とする家具収納椅子。
【請求項２】
請求項１の家具収納椅子において、脚部は椅子本体部の下部前面側に回動可能に支持され、連係機構は脚部を椅子本体部の支持点を中心として起伏させるものであることを特徴とする家具収納椅子。
【請求項３】
請求項２の家具収納椅子において、連係機構は、家具，椅子本体部の間に連結され椅子本体部の引出操作，収納操作で回動する回動部と、椅子本体部に設けられ回動部の回動に応動してスライドするスライド部と、スライド部と脚部との間に掛渡されたリンク部とからなることを特徴とする家具収納椅子。
【請求項４】
請求項１〜３のいずれかの家具収納椅子において、椅子本体の底部は前板，側板で囲まれ脚部，連係機構を収容する下方開放形の収容空間が設けられていることを特徴とする家具収納椅子。
【請求項５】
請求項１〜４のいずれかの家具収納椅子において、椅子本体部の引出された状態を保持するロック機構が設けられていることを特徴とする家具収納椅子。
【請求項６】
請求項５の家具収納椅子において、ロック機構を解除する解除機構は椅子本体部の引出，収納の操作部となる椅子本体部の前板に近接して配置されていることを特徴とする家具収納椅子。
【発明の詳細な説明】
【技術分野】
【０００１】
本発明は、家具に引出状に組込まれる家具収納椅子に係る技術分野に属する。
【背景技術】
【０００２】
現在、生活様式の変化や高齢化社会を反映して、家屋内の各所に腰を掛けることのできる椅子を設置することが要請されている。この要請に対しては、設置スペースや外観体裁等の関係から、家具に引出状に組込まれる家具収納椅子が提供されるようになってきている。
【０００３】
従来、家具収納椅子としては、例えば、以下に記載のものが知られている。
【特許文献１】特開２００２−６５３９９号公報  特許文献１には、箱形に形成された椅子本体部の下部前面側に折畳み可能な脚部が設けられて家具に引出状に組込まれた家具収納椅子が記載されている。
【０００４】
特許文献１に係る家具収納椅子は、ノブ形の操作部を摘んで箱形に形成された椅子本体部を引出，収納する。そして、椅子本体部を引出した後に、操作部をさらに強く引くことによって脚部を起立させることができる。また、起立させた脚部は、操作部を強く押すことで折畳むことができる。脚部は、椅子本体部の耐荷重性を高めることになる。
【発明の開示】
【発明が解決しようとする課題】
【０００５】
特許文献１に係る家具収納椅子では、操作部を押引の力の異なる２段階で操作しなければならないため、操作が面倒で老人，子供，身体に障害のある人等では使用が困難であるという問題点がある。
【０００６】
本発明は、このような問題点を考慮してなされたもので、操作が簡単で何人も使用することのできる家具収納椅子を提供することを課題とする。
【課題を解決するための手段】
【０００７】
前述の課題を解決するため、本発明に係る家具収納椅子は、特許請求の範囲の各請求項に記載の手段を採用する。
【０００８】
即ち、請求項１では、箱形に形成された椅子本体部の下部前面側に折畳み可能な脚部が設けられて家具に引出状に組込まれた家具収納椅子において、椅子本体部の引出操作に連係して脚部を起立させ椅子本体部の収納操作に連係して脚部を折畳む連係機構を備えたことを特徴とする。
【０００９】
この手段では、連係機構を備えたことによって、椅子本体部を引出操作，収納操作するだけで脚部が自動的に起立，折畳みされる。
【００１０】
また、請求項２では、請求項１の家具収納椅子において、脚部は椅子本体部の下部前面側に回動可能に支持され、連係機構は脚部を椅子本体部の支持点を中心として起伏させるものであることを特徴とする。
【００１１】
この手段では、脚部が長さを維持したまま折畳まれる。
【００１２】
また、請求項３では、請求項２の家具収納椅子において、連係機構は、家具，椅子本体部の間に連結され椅子本体部の引出操作，収納操作で回動する回動部と、椅子本体部に設けられ回動部の回動に応動してスライドするスライド部と、スライド部と脚部との間に掛渡されたリンク部とからなることを特徴とする。
【００１３】
この手段では、連係部材を構成する回動部，スライド部，リンク部の各部の動作の複合によって脚部が自動的に起立，折畳みされる。
【００１４】
また、請求項４では、請求項１〜３のいずれかの家具収納椅子において、椅子本体の底部は前板，側板で囲まれ脚部，連係機構を収容する下方開放形の収容空間が設けられていることを特徴とする。
【００１５】
この手段では、脚部，連係機構が椅子本体の底部の収容空間に収容される。
【００１６】
また、請求項５では、請求項１〜４のいずれかの家具収納椅子において、椅子本体部の引出された状態を保持するロック機構が設けられていることを特徴とする  。
【００１７】
この手段では、ロック機構が椅子本体部の引出された状態の不測の離脱を防止する。
【００１８】
また、請求項６では  請求項５の家具収納椅子において、ロック機構を解除する解除機構は椅子本体部の引出，収納の操作部となる椅子本体部の前板に近接して配置されていることを特徴とする。
【００１９】
この手段では、椅子本体部の収納操作の際に同時的に解除機構を操作することができる。
【発明の効果】
【００２０】
本発明に係る家具収納椅子は、連係機構を備えたことによって椅子本体部を引出操作，収納操作するだけで脚部が自動的に起立，折畳みされるため、操作が簡単で何人も使用することができる効果がある。
【発明を実施するための最良の形態】
【００２１】
以下、本発明に係る家具収納椅子を実施するための最良の形態を図面に基づいて説明する。
【００２２】
この形態では、玄関の土間Ｆから少し立上げられて壁Ｗに固定された下駄箱からなる家具Ｄに適用されるものを示してある。
【００２３】
この形態は、椅子本体部１，レール機構２，取付用部材３，脚部４，連係機構５，ロック機構６，解除機構７の各部で構成されている。
【００２４】
椅子本体部１は、図１，図２に示すように、家具Ｄに引出状に組み込まれるように天板１１，側板１２，前板１３，奥板１４，底板１５で箱形に形成されている。天板１１は、前方側部分１１ａが後方側部分が１２に対してヒンジ（図示せず）で回動可能になっている（図２参照）。天板１１，側板１２，前板１３，奥板１４，底板１５は、小物等を収容可能な収納空間Ｓａを囲み形成している。側板１２，前板１３は、底板１５よりも下方へ突出して、椅子本体部１の底部に下部開放形の収容空間Ｓｂを囲み形成している。この椅子本体部１は、腰を掛ける人の臀部を受ける座部分を構成している。
【００２５】
レール機構２は、図１に示すように、家具Ｄに取付けられたレール本体２１と椅子本体部１の側板１２の外面に取付けられたレール受２２とからなる。このレール機構２は、家具Ｄに対する椅子本体部１の引出，収納を円滑に案内する。
【００２６】
取付用部材３は、図３，図４に示すように、金属板でほぼＴ字形に形成され椅子本体部１の底板１５の下面に当接されて固定されるベース３１と、ベース３１のＴ字形の先端側に重ねて固定される台座３２と、台座３２に連係機構５を介して重ね固定されるカバー３３と、台座３２にカバー３３を締付け固定するとともに連係機構５を支持，案内する２本のネジピン３４，３５とからなる。この取付用部材３は、椅子本体部１への脚部４，連係機構５，ロック機構６，解除機構７の取付けを可能にする。
【００２７】
脚部４は、図１〜図４に示すように、く字形の２本のパイプからなる脚本体４１と、脚本体４１の下端部に取付けられた間に弾性材からなるアジャスタ４２と、脚本体４１の間に掛渡された梁棒４３と、脚本体４１を取付用部材３のベース３１に回動可能に支持する支持軸４４とからなる。この脚部４は、支持軸４４を脚本体４１を取付用部材３のベース３１のＴ字形の両肩に設けられている起立片に支持することで、椅子本体部１の下部前面側に位置され下部後面側に対して起伏可能になっている。
【００２８】
連係機構５は、図３〜図５に示すように、家具Ｄ，椅子本体部１の間に連結され椅子本体部の引出操作，収納操作で回動する回動部５１と、椅子本体部１に設けられ回動部５１の回動に応動してスライドするスライド部５２と、スライド部５２と脚部４との間に掛渡されたリンク部５３とからなる。回動部５１は、取付用部材３の１つの（図面右側の）ネジピン３５に回動可能に支持された基部バー５１ａと、基部バー５１ａの一端部側にスライド可能に連結された伸縮バー５１ｂと、基部バー５１ａの他端部側に設けられスライド部５２に連結されるピン５１ｃと、伸縮バー５１ｂの伸縮先端側に設けられ家具Ｄに連結されるピン５１ｄとからなる。スライド部５２は、スライド部５２は、取付用部材３の台座３２，カバー３３の間をスライドする基板５２ａと、基板５２ａの前後方向へ開口されたスライド案内溝５２ｂと、基板５２ａのスライド案内溝５２ｂと直交する方向へ開口された回動部案内溝５２ｃと、基板５２ａに一体的に屈曲された起立片５２ｄとからなる。リンク部５３は、スライド部５２の起立片５２ｄと脚部４の脚本体４１との間にＶ字形に掛渡された２枚のリンクバー５３ａと、２枚のリンクバー５３ａをスライド部５２の起立片５２ｄに回動可能に支持する共通の支持軸５３ｂと、２枚のリンクバー５３ａを脚部４の脚本体４１にそれぞれ回動可能に支持する共通の支持軸５３ｃとからなる。この連係機構５は、椅子本体部１の引出操作，収納操作に応動して、回動部５１が回動し、回動部５１の回動に応動してスライド部５２がスライドして、リンク部５３を介して脚部４を起立，折畳みさせる。
【００２９】
ロック機構６は、図３，図４，図６に示すように、長尺状の２枚の起伏バー６１と、起伏バー６１の起伏先端に設けられた傾斜辺６２と、傾斜辺６２に連続した直角形の係止溝６３と、家具Ｄに固定され係止溝６３にそれぞれ係合可能な２枚の係止板６４と、２枚の起伏バー６１の起伏基端寄りを取付用部材３のベース３１のＴ字形の両肩に設けられている起立片にそれぞれ回動可能に支持する支持軸６５とからなる。係止板６４の１枚は、連係機構５の回動部５１の伸縮バー５１ｂの伸縮先端側に設けられたピン５１ｄが支持されている。このロック機構６は、図６（Ａ），（Ｂ）に示すように、傾斜辺６２が椅子本体部１の引出の際に起伏バー６１に係止板６４の障害となるのを防止する。また、このロック機構６は、図６（Ｃ）に示すように、係止溝６３，係止板６４の係合で椅子本体部１の引出された状態を保持する。
【００３０】
解除機構７は、図３，図４，図６に示すように、ロック機構６の２枚の起伏バー６１の間に配設された操作バー７１と、操作バー７１の両端部寄りを取付用部材３のベース３１のＴ字形の両肩に設けられている起立片にそれぞれ回動可能に支持する支持軸７２と、操作バー７１の両端部に設けられロック機構６の起伏バー６１に連結される連結ピン７３と、ロック機構６の起伏バー６１に刻設され連結ピン７３が挿通された案内溝７４と、操作バー７１と取付用部材３のベース３１との間に引張するように配設されたバネ７５とからなる。この解除機構７は、図６（Ｄ）に示すように、バネ７５に抗して操作バー７１を操作することで、ロック機構６の係止溝６３，係止板６４の係合を離脱させることができる。
【００３１】
この形態によると、図２〜図４に示すように、椅子本体部１が家具Ｄに収納された状態でレール機構２，取付用部材３，脚部４，連係機構５，ロック機構６，解除機構７の各部が収容空間Ｓｂに収容されて外部から隠蔽されてしまうため、無用な部材が露出せず外観体裁が良好になる。また、椅子本体部１に収納空間Ｓａが設けられているため、小物等（履物，靴べら等）を収納する引出しとしても使用することができる。
【００３２】
椅子本体部１を引出すには、手の平を上にし指先を収容空間Ｓｂに侵入させて椅子本体部１の前板１３の裏面付近に掛けて引き操作することになる。
【００３３】
椅子本体部１を引出すと、椅子本体部１の天板１１が露出されて座部分が形成されるため、腰を掛けることができるようになる。また、椅子本体部１の天板１１の前方側部分１１ａを開放することで、収納空間Ｓａから小物等を取出すことができる。
【００３４】
椅子本体部１が引出されると、同時に、連係機構５の動作によって脚部５が自動的に起立される。即ち、特別な操作をすることなく、脚部５を起立させることができる。このため、操作が容易で老人，子供，身体に障害のある人等でも使用が可能になる。この椅子本体部１を座部分として腰掛けると、窮屈な姿勢をとることなく、靴を履いたり靴紐を結んだりすることができる。
【００３５】
椅子本体部１が座部分として機能する際には、前方側で脚部４に支持され後方側でレール機構２を介して家具Ｄに支持されるため、安定した姿勢が保持される。特に、脚部４の下端部に設けられているアジャスタ４２が土間Ｆの多少の凹凸を吸収することで、安定した姿勢の保持に寄与する。また、脚部４の脚本体４１が伸縮構造を備えず長さ（剛性）を維持して起伏されるため、脚部４の脚本体４１が荷重で不測に短縮されるようなことはない。
【００３６】
なお、椅子本体部１が座部分として機能する状態は、ロック機構６によって保持されて不測に崩壊することない。従って、使用の際の安全性が確保される。
【００３７】
椅子本体部１を収納する際には、手の平を上にし指先を収容空間Ｓｂに侵入させて椅子本体部１の前板１３の裏面付近に位置する解除機構７の操作バー７１を引いてから、椅子本体部１の前板１３を押し操作することになる。
【００３８】
椅子本体部１が収納されると、同時に、連係機構５の動作によって脚部５が自動的に折畳まれる。即ち、特別な操作をすることなく（解除機構７の操作バー７１を引く操作は必要であるが）、脚部５を折畳むことができる。このため、操作が容易で老人，子供，身体に障害のある人等でも使用が可能になる。
【産業上の利用可能性】
【００３９】
本発明に係る家具収納椅子は、下駄箱以外の家具Ｄに適用することが可能である。例えば、食器棚に組込まれる踏台、洗面化粧台に組込まれる踏台、ベッドサイドワゴンに組込まれる補助椅子である。
【図面の簡単な説明】
【００４０】
【図１】本発明に係る家具収納椅子を実施するための最良の形態を示す斜視図である。
【図２】図１の要部のみを示した縦断面図である。
【図３】図２の詳細な底面図である。
【図４】図３の引出状態図である。
【図５】図３，図４の要部の縮小した動作図であり、（Ａ）が収納状態で（Ｃ）が引出状態で（Ｂ）が収納，引出の中間状態を示している。
【図６】図３，図４の他の要部の縮小した側面図であり、（Ａ）〜（Ｃ）の順にロック機構の動作が示され、（Ｄ）にロック機構のロック解除の動作が示されている。
【符号の説明】
【００４１】
１            椅子本体部
４            脚部
５            連係機構
５１          回動部
５２          スライド部
５３          リンク部
６            ロック機構
７            解除機構
Ｄ            家具
Ｓｂ          収容空間        
【図１】
2005073925.tif 000003
【図２】
2005073925.tif 000004
【図３】
2005073925.tif 000005
【図４】
2005073925.tif 000006
【図５】
2005073925.tif 000007
【図６】
2005073925.tif 000008